(57)【要約】      （修正有）【課題】飛球方向より約２０°でカット打ちにできるようテイクバックの目印となるガイドラインをフェース面上に印したアプローチウエッジを提供する。【解決手段】フェース面の一番下のスコアラインの溝を刻んで加工した部分とフェース面上のトゥ側の加工していないクラウン部分を含む部分との境目の線を０°としてトゥ側に約１０°の線を印し、その線がフェースを約１０°開くガイドラインでもあり、飛球方向を示すラインになるものであり、また飛球方向を示すラインを基本線としてクラウン部分より最下部のスコアライン方向へ、フェース面のスコアラインの数本ある溝を斜め方向へ横切る約２０°のラインを印し、再下部のスコアラインの左右の中心より少し外側にガイドラインがいくようにしてシャンクを押さえる役目を果たせ、スタンスも約２０°開くのでカット打ちする感覚を持つことなくスタンスと平行にスウィングできるように導いてくれるようにしたもの。【選択図】図１
2016105808.tif 000002
【特許請求の範囲】
【請求項１】
アプローチウエッジにフェース全体が約１０°にいつも同じく開くようにフェース面上にガイドライン４を印し、そのラインは飛球方向示すことにもなり、またいつも同じ角度のカット打ちができるよう飛球方向より約２０°にクラブのクラウン部分よりスコアラインの最下部の線に向かってガイドライン５をフェース面上に印したものであり、２本のガイドラインをフェース面上に溝を付けてカラーリングするか、消えにくい塗装を施して印すようにしたアプローチウエッジ。
【発明の詳細な説明】
【技術分野】
【０００１】本発明は、アプローチウエッジのフェース面に、飛球方向を示すラインとフェースが約１０°に開くように設定したラインは同一のラインであり、ガイドラインとしてソールよりトゥ部分に印し、飛球方向より約２０°でカット打ちにできるようテイクバックの目印となるガイドラインをフェース面上に印したアプローチウエッジに関するものである。
【背景技術】
【０００２】従来、アプローチウエッジは打つ人の勘に頼ってフェースを開き、その時開き過ぎたり、傾斜のある場所では誤った方向へテイクバックしてシャンクに至ったり、ボールを上手く捉えることができず、トップしたりで一般的なゴルファーは毎回安定してアプローチを成功させるに至ってなかった。
【発明の概要】
【発明が解決しようとする課題】
【０００３】アプローチでピッチ＆ランをする時の基本はフェースを開いて、スタンスも開くと言うのが一般的であり、それをフェース上にガイドラインとして具現化した物であり、アプローチウエッジにフェース全体が約１０°に何時も同じく開くようにフェース面上にガイドラインを印し、そのラインは飛球方向示すことにもなり、またいつも同じ角度のカット打ちができるよう飛球方向より約２０°にクラブのクラウン部分よりスコアラインの最下部の線に向かってガイドラインをフェース面上に印したものであり、スタンスも約２０°開くと、アプローチウエッジに印したガイドラインと平行にスタンスを取ることになりカット打ちしているという感覚が無く、真直ぐテイクバックする感覚でボールを打つ事が出来、またテイクバックのガイドラインの延長線の先をイメージすることによりヘッドアップも抑えられ、ダフリ、トップも無くなりより正確なスイング軌道へと導かれ、飛球方向と定めた方向へボールが打ち出されることを実感でき、振りの大きさだけで距離を合わせる事が出来るためより簡単にアプローチできることを目的とする。
【課題を解決するための手段】
【０００４】本発明は、アプローチウエッジのフェース面の一番下のスコアラインの溝を刻んで加工した部分とフェース上のトゥ側の加工していないクラウン部分を含む部分との境目の線を０°としてトゥ側に約１０°の線を印し、その線がフェースを約１０°開くガイドラインでもあり、飛球方向を示すラインになるものであり、また飛球方向を示すラインを基本線としてクラウン部分より最下部のスコアライン方向へ、フェースのスコアラインの数本ある溝を斜め方向へ横切る約２０°のラインを印し、再下部のスコアラインの左右の中心より少し外側にガイドラインがいくようにしてシャンクを押さえる役目を果たせ、スタンスも約２０°開くのでカット打ちする感覚を持つことなくスタンスと平行にスウィングできるように導いてくれるようにしたものである。
【発明の効果】
【０００５】本発明のウエッジを使用する時のセットの基本は、ボールの位置が右足つま先の上に来るようにセットし、フェースの一定した開きと飛球方向を示すガイドラインを目標方向にセットし、約２０°のカット打ちするガイドラインが示されたらそのガイドラインの延長線の先にボールの中心がくるようにセットして、さらにスタンスも同じ約２０°開くようにしてスタンスのつま先を結んだ線とカット打ちするガイドラインが平行になるように取ると、カット打ちした感覚が無くスムーズにスウィングする事が出来るようになり、飛球線方向へボールが飛んで行くことが確認でき、振りの大きさだけに注意を払えばいいようになり、またボールを上げたい時はボールの位置を飛球方向後方へ右つま先を持っていき体の内で捉えるようにして打つとボールは上がるようになり、セットの基本を守っていれば、右打ちの人が左足下がりの状況でもボールを上げられるように対応でき、５０ヤード以内のアプローチをやさしくしてくれるものである。
【図面の簡単な説明】
【０００６】
【図１】  本発明のアプローチウエッジのフェース面の正面図である。
【発明を実施するための形態】
【０００７】本発明の実施形態について図面を参照して説明する。図１に本発明に係るアプローチウエッッジの実施形態を示す。図１においてアプローチウエッジのフェース面の一番下のスコアラインの溝を刻んで加工した部分とフェース上のトゥ側の加工していないクラウン部分を含む部分との境目の線を０°としてトゥ側に約１０°の線を印し、その線がフェースを約１０°開くガイドラインでもあり、飛球方向を示すガイドライン４になるものであり、また飛球方向を示すラインを基本線としてクラウン部分より最下部のスコアライン方向へ、フェースのスコアラインの溝を斜め方向へ横切るように約２０°のガイドライン５を印し、最下部のスコアラインの左右の中心より少し外側にカット打ちするガイドラインをフェース面上に印すと、ネックに近づかないようになり、ボールとフェースの接する点がカット打ちするガイドラインに沿った場所になり、シャンクを押さえる役目を果たすことができ、そのガイドラインは溝を付けてカラーリングするか、消えにくい塗装で印すようにしたものである。
【符号の説明】
【００８】  １  アプローチウエッジ
２  ゴルフボール
３  スコアライン最下部
４  飛球方向とフェースを１０°開くガイドライン
５  カット打ちする方向を示すガイドライン
６  クラウン部分
７  スコアライン最下部の中心線
８  フェースを開かずに構えた位置を０°とする線
９  飛球方向とフェースを１０°開くガイドラインの延長線
１０  カット打ちする方向を示すガイドラインの延長線
１１  スコアライン最下部の線の延長線
１２  ゴルフボールの中心線
１３  右打ちの人の右つま先
１４  カット打ちする方向を示すガイドラインと並行を示す線
１５  ボールを上げる場合の右打ちの人の右つま先
１６  ボールを上げる場合のカット打ちする方向を示すガイドラインと並行を示す線
【図１】
2016105808.tif 000003